(57)【要約】【課題】  ぶらさげて携帯でき、歩行させて遊ぶことができるアクセサリー玩具を提供する。【解決手段】  アクセサリー玩具１は、歩行ユニット１０を玩具本体６０の上部９１で位置決めすると、連結部材３０が玩具本体６０の上部開口６６から突出し、脚部４０，５０が玩具本体６０内に収納され、連結部材３０にキーホルダー、ストラップ等の懸吊部材９５を引っ掛けて、携帯電話、バッグ、財布等に携帯できる。歩行ユニット１０を玩具本体６０の下部９２で位置決めすると、連結部材３０が玩具本体６０内に没入し、脚部４０，５０が玩具本体６０から突出し、歩行玩具として遊ぶことができる。【選択図】  図２
2014023862.tif 000002
【特許請求の範囲】
【請求項１】
玩具本体と、玩具本体内に上下方向に摺動可能に収納された歩行ユニットとからなり、
歩行ユニットは、ケースと、ケースに収納された一対の脚部を有し、
ケースは、上部に連結部材が設けられ、下部に開口が形成され、
一対の脚部は、下部がケースの開口から突出し、下端に足部が設けられ、
玩具本体は、ケースを上部と下部で位置決めする位置決め手段と、前記連結部材を出没させる上部開口と、ケースの脚部を突出させる下部開口を有し、ケースを上部に位置決め時に連結部材が玩具本体の上部開口から突出すると共に脚部を収納し、ケースを下部に位置決め時に連結部材が玩具本体内に上部開口から没入すると共に脚部を下部開口から突出するように構成されていることを特徴とするアクセサリー玩具。
【発明の詳細な説明】
【技術分野】
【０００１】
本願発明は、歩行玩具をアクセサリーにしたアクセサリー玩具に関する。
【背景技術】
【０００２】
従来、歩行玩具には、モータ、電池等を必要とせず、自重で傾斜面を歩行する、いわゆる「のこのこ」歩行玩具が存在する（特許文献１）。一方、ストラップ、キーホルダー等の懸吊部材に取り付けて携帯するアクセサリー玩具には、ＬＥＤが点灯するものや（特許文献２）、一部が可動するもの（特許文献３、４）が存在した。
【先行技術文献】
【特許文献】
【０００３】
【特許文献１】実公昭３６−１０６３８号公報
【特許文献２】実用新案登録第３１２１０９８号公報
【特許文献３】特開２００７−１２５１７１号公報
【特許文献４】実用新案登録第３１００５３９号公報
【発明の概要】
【発明が解決しようとする課題】
【０００４】
上記した従来のアクセサリー玩具は、ストラップ、キーホルダー等の懸吊部材に取り付け、携帯電話、バッグ、財布等の小物入れにぶら下げて携帯できるが、実際に歩行させて遊ぶことができるものは存在しなかった。
【０００５】
本願発明は、上記問題点に鑑み案出したものであって、ぶら下げて携帯でき、さらに歩行させて遊ぶことができるアクセサリー玩具を提供することを目的とする。
【課題を解決するための手段】
【０００６】
本願請求項１に係るアクセサリー玩具は、上記目的を達成するため、玩具本体と、玩具本体内に上下方向に摺動可能に収納された歩行ユニットとからなり、歩行ユニットは、ケースと、ケースに収納された一対の脚部を有し、ケースは、上部に連結部材が設けられ、下部に開口が形成され、一対の脚部は、下部がケースの開口から突出し、下端に足部が設けられ、玩具本体は、ケースを上部と下部で位置決めする位置決め手段と、前記連結部材を出没させる上部開口と、ケースの脚部を突出させる下部開口を有し、ケースを上部に位置決め時に連結部材が玩具本体の上部開口から突出すると共に脚部を収納し、ケースを下部に位置決め時に連結部材が玩具本体内に上部開口から没入すると共に脚部を下部開口から突出するように構成されていることを特徴とする。
【発明の効果】
【０００７】
本願発明に係るアクセサリー玩具は、歩行ユニットのケースを玩具本体の上部で位置決め手段により位置決めすると、連結部材が玩具本体の上部開口から突出し、脚部が玩具本体内に収納される。この連結部材をキーホルダー、ストラップ等の懸吊部材に取り付けて、携帯電話、バッグ、財布等の小物入れに吊して携帯することができるという効果がある。また、本願発明に係るアクセサリー玩具は、歩行ユニットのケースを玩具本体の下部で位置決め手段により位置決めすると、連結部材が玩具本体内に上部開口から没入し、脚部が玩具本体の下部開口から突出して、歩行玩具として遊ぶことができるという効果がある。また、連結部材を玩具本体内に収納させるので、外観を損なう連結部材の突出がなくなり、見た目が良く本来の歩行形態となり、さらに連結部材が歩行の妨げにならなくなるという効果がある。
【図面の簡単な説明】
【０００８】
【図１】本願発明に係るアクセサリー玩具の正面図であって、（ａ）が携帯時の正面図、（ｂ）が歩行時の正面図である。
【図２】本願発明に係るアクセサリー玩具の正面断面図であって、（ａ）が携帯時の正面断面図、（ｂ）が歩行時の正面断面図である。
【図３】歩行ユニットの分解斜視図である。
【図４】本願発明に係るアクセサリー玩具の使用形態を示す側面断面図であって、（ａ）が携帯時の側面断面図、（ｂ）が歩行時の側面断面図である。
【発明を実施するための形態】
【０００９】
アクセサリー玩具１は、玩具本体６０と、玩具本体６０内に上下方向に摺動可能に収納された歩行ユニット１０とからなる。歩行ユニット１０は、ケース１１と、ケース１１に収納された一対の脚部４０，５０を有する。ケース１１は、上部に連結部材３０が設けられ、下部に開口１７が形成されている。一対の脚部４０，５０は、上部がケース１１に回動可能に取り付けられ、下部がケース１１の開口１７から揺動可能に突出し、下端に接地面４５，５５が湾曲した足部４３，５３が設けられている。
【００１０】
玩具本体６０は、ケース１１を上部と下部で位置決めする位置決め手段９１，９２と、前記連結部材３０を出没させる上部開口６６と、ケース１１の脚部４０，５０を突出させる下部開口６５を有する。玩具本体６０は、ケース１１を上部９１に位置決め時に連結部材３０が玩具本体６０の上部開口６６から突出すると共に脚部４０，５０を収納し、ケース１１を下部９２に位置決め時に連結部材３０が玩具本体６０内に上部開口６６から没入すると共に脚部４０，５０を下部開口６５から突出するように構成されている。
【００１１】
アクセサリー玩具１は、歩行ユニット１０のケース１１を玩具本体６０の上部で位置決め手段９１により位置決めすると、連結部材３０が玩具本体６０の上部開口６６から突出し、脚部４０，５０が玩具本体６０内に収納される。この連結部材３０をキーホルダー、ストラップ等の懸吊部材９５に取り付けて、携帯電話、バッグ、財布等の小物入れに吊して携帯することができる。
【００１２】
また、アクセサリー玩具１は、歩行ユニット１０のケース１１を玩具本体６０の下部で位置決め手段９２により位置決めすると、連結部材３０が玩具本体６０内に上部開口６６から没入し、脚部４０，５０が玩具本体６０の下部開口６５から突出する。傾斜面に足部４３，５３を接地させると自重で歩行を始め、歩行玩具として遊ぶことができる。玩具本体６０が、歩行ユニット１０の上方に位置するので、重心の位置が上方に移動し、歩行しやすくなると共に、連結部材３０を玩具本体６０内に収納させるので、外観を損なう連結部材の突出がなくなり、見た目が良く本来の歩行形態となり、さらに連結部材が歩行の妨げにならなくなる。歩行ユニット１０は、傾斜面に沿って自重で歩行を始める構成であるが、内部に駆動装置を内蔵せしめ、当該駆動装置より脚部４０，５０を揺動させて歩行させるようにしても構わない。
【００１３】
さらにアクセサリー玩具１について詳細に説明する。アクセサリー玩具１は、玩具本体６０と、玩具本体６０内に上下方向に摺動可能に収納された歩行ユニット１０とからなる。歩行ユニット１０は、図３に示すように、ケース１１と、ケース１１に収納された一対の脚部４０，５０とで構成されている。ケース１１は、ＡＢＳ樹脂等の合成樹脂によって形成され、前壁１２と、後壁１３と、左壁１４と、右壁１５と、上壁１６とで中空状に形成され、下部に開口１７が形成されている。また、ケース１１は、前半体１９と後半体２０とに二分割され、前半体１９と後半体２０が接合され、ネジ、接着剤等により一体化された構成となっている。
【００１４】
ケース１１は、上壁１６に左右方向に伸びる取付穴２１が形成され、左壁１４と右壁１５の上部に軸受け孔１４ａ，１５ａが設けられ、後壁１３外面下部に係止突起２２が形成されている。後壁１３の下部は、係止突起２２を挟んで両側に切り欠き溝２３，２４が形成され、撓めるように形成されている。
【００１５】
取付穴２１には、連結部材３０が取り付けられる。連結部材３０は、軟質合成樹脂によって薄板状に形成され、下部に取付穴２１の上端縁２１ａと下端縁２１ｂに係止される係止縁３０ａ,３０ｂが設けられている。連結部材３０の上部には、連結孔３２が設けられている。連結部材３０は、下部をケース１１の取付穴２１に差し込むと、下側の係止縁３０ｂが取付穴２１の下端縁２１ｂに係止され、上側の係止縁３０ａが取付穴２１の上端縁２１ａに係止されて、ケース１１に固定される。
【００１６】
なお、連結部材３０は、ケース１１に取り付けられて、ケース１１と共に上下方向に摺動し、玩具本体６０の上部から出没する構成であれば良いの、薄板状に限定されるものではなく、棒状であっても良く、又、取付穴ではなく取付フックであっても構わない。また、取付方法も、ネジ止め、接着剤による固着、圧着等種々のものがあり、設計事項に合わせて変更できることは勿論である。さらに、連結部材３０は、ケース１１に一体成形、即ち、前半体１９又は後半体２０に一体成形されても良い。なお、連結部材３０は、ケース１１と共に上下方向に摺動できれば、ケース１１と別体で形成されても良い。
【００１７】
右側の脚部４０は、板状の脚軸４１と、脚軸４１の上端に設けられた円筒状の軸受けボス４２とからなり、脚軸４１の下端に足部４３が設けられている。足部４３は、下面が接地面４５を形成し、接地面４５は、湾曲して形成されている。左側の脚部５０は、右側の脚部４０と対称に形成されており、板状の脚軸５１と、脚軸５１の上端に設けられた円筒状の軸受けボス５２とからなり、脚軸５１の下端に足部５３が設けられている。足部５３は、下面が接地面５５を形成し、接地面５５は、湾曲して形成されている。右側の脚部４０及び左側の脚部５０は、軸受けボス４２，５２に連結軸３５が挿通され、連結軸３５の両端がケース１１の軸受け孔１４ａ，１５ａに取り付けられて、ケース１１に揺動可能に取り付けられている。
【００１８】
玩具本体６０は、ロボット、人形、動物等の外観形状に形成されている。玩具本体６０は、軟質合成樹脂素材によって形成され、前部半体６０ａと後部半体６０ｂとの接合によって組み立てられ、内部に前記ケース１１を上下方向に摺動可能に収納する収納室６７が形成されている。
【００１９】
図２に示すように、玩具本体６０の内部には、ケース１１の左壁１４を上下方向に摺動可能に案内する左案内突起６１及び左案内面６２と、ケース１１の右壁１５を上下方向に摺動可能に案内する右案内突起６３及び右案内面６４を備えている。玩具本体６０の下部には、歩行ユニット１０の脚部４０，５０を出没させると共にケース１１の下部を案内する下部開口６５が形成されている。玩具本体６０の上部には、ケース１１の連結部材３０を出没させる上部開口６６が形成されている。
【００２０】
前部半体６０ａと後部半体６０ｂの間には、腕部材７１，８１が回動可能に設けられている。腕部材７１，８１は、先端に手部７２，８２が形成され、基端にボス７３，８３が形成されている。ボス７３，８３は、取付孔７５，８５が設けられ、取付孔７５，８５を中心とした半円状の湾曲面７６、８６が形成されている。腕部材７１，８１は、前部半体６０ａ又は後部半体６０ｂに形成された支軸６８，６９に取付孔７５，８５が回動可能に取り付けられ、ボス７３，８３の湾曲面７６，８６がケース１１の右壁１５，左壁１４に当接している。
【００２１】
後部半体６０ｂには、図４に示すように、ケース１１の後壁１３を案内する案内面９０が形成されている。案内面９０の上部には、ケース１１の後壁１３に形成された係止突起２２を係脱する上部係止孔９１が形成されている。また、案内面９０の下部には、ケース１１の後壁１３に形成された係止突起２２を係脱する下部係止孔９２が形成されている。ケース１１は、係止突起２２が上部係止孔９１又は下部係止孔９２に係止されることにより、玩具本体６０内で位置決めされる。この位置決め手段は、本実施の形態においては、上部係止孔９１及び下部係止孔９２としているが、この実施の形態に限定されるものではないのは勿論であり、種々変更できる設計事項である。
【００２２】
アクセサリー玩具１は、以上の構成を有し、玩具本体６０内で歩行ユニット１０を上下方向に摺動させることができる。図２（ａ），図４（ａ）に示すように、歩行ユニット１０は、これを上方に移動させると、ケース１１の後壁１３に設けられた係止突起２２が、玩具本体６０の上部係止孔９１に係止されて玩具本体６０に位置決めされる。脚部４０，５０が玩具本体６０内に収納され、連結部材３０が玩具本体６０から上部開口６６を介して突出する。なお、本実施の形態では、脚部４０，５０は、玩具本体６０内に全部収納されることで説明しているが、一部（上側部分）収納であっても構わない。脚部４０，５０は、足部４３，５３が玩具本体６０の下端に当接するので、揺動不能となる。
【００２３】
腕部材７１，８１は、湾曲面７６，８６がケース１１の右壁１５及び左壁１４に接触しているので、ケース１１の上方移動に連動して、支軸６８，６９を中心として、手部７２，８２が下方に下がるように回動する。アクセサリー玩具１は、連結部材３０の連結孔３２が玩具本体６０内から表出するので、当該連結孔３２にキーホルダー、ストラップ等の懸吊部材９５を取り付けることができ、携帯電話、バッグ、財布等に吊してアクセサリーとして携帯することができる。
【００２４】
図２（ｂ），図４（ｂ）に示すように、歩行ユニット１０は、これを下方に移動させると、ケース１１の後壁１３に設けられた係止突起２２が、玩具本体６０の下部係止孔９２に係止されて玩具本体６０に位置決めされる。脚部４０，５０が玩具本体６０の下部開口６５から突出し、連結部材３０が玩具本体６０内に上部開口６６を介して没入する。脚部４０，５０は、足部４３，５３が玩具本体６０の下端から離れ、揺動可能となる。
【００２５】
腕部材７１，８１は、湾曲面７６，８６がケース１１の右壁１５及び左壁１４に接触しているので、ケース１１の下方移動に連動して、支軸６８，６９を中心として、手部７２，８２が上方に上がるように回動する。アクセサリー玩具１は、足部４３，５３の接地面４５，５５を傾斜面に接地させると、自重で歩行を始め、歩行玩具として遊ぶことができる。連結部材３０は、玩具本体６０内に収納させるので、玩具本体６０の外観を損なう連結部材３０の突出がなくなり、玩具本体６０の見た目が良く、本来の歩行形態となり、さらに連結部材３０が歩行の妨げにならなくなる。
【００２６】
アクセサリー玩具１は、玩具本体６０内で歩行ユニット１０を上方に移動させると、脚部４０，５０が玩具本体６０内に全部又は一部が収納され、連結部材３０が玩具本体６０から突出し、腕部材７１，８１が下方に回動する。アクセサリー玩具１は、歩行ユニット１０がこの位置で位置決めされ、玩具本体６０から突出した連結部材３０の連結孔３２にキーホルダー、ストラップ等の懸吊部材９５を取り付けてアクセサリーとして携帯することができる。アクセサリー玩具１は、腕部材７１，８１が下方に下がり、脚部４０，５０が玩具本体６０内に収納されているので、ぶら下げて携帯する場合でも、引っ掛かったり、接触したりすることが少ない。
【００２７】
アクセサリー玩具１は、玩具本体６０内で歩行ユニット１０を下方に移動させると、脚部４０，５０が玩具本体６０から突出し、連結部材３０が玩具本体６０内に収納され、腕部材７１，８１が上方に回動する。アクセサリー玩具１は、歩行ユニット１０がこの位置で位置決めされ、玩具本体６０から突出した脚部４０，５０の足部４３，５３を傾斜面に接地させると、自重で歩行を始め、歩行玩具として遊ぶことができる。アクセサリー玩具１は、腕部材７１，８１が上方に上がった状態で歩行するので、興趣があり、連結部材３０が玩具本体６０内に収納されているので、外観を損なうことがなく本来の歩行形態となり、歩行の妨げになることがない。
【産業上の利用可能性】
【００２８】
本願発明は、歩行機能とアクセサリー機能を備えた携帯型アクセサリーに利用可能である。
【符号の説明】
【００２９】
１  アクセサリー玩具
１０  歩行ユニット
１１  ケース
１２  前壁
１３  後壁
１４  左壁
１４ａ  軸受け孔
１５  右壁
１５ａ  軸受け孔
１６  上壁
１７  開口
１９  前半体
２０  後半体
２１  取付穴
２１ａ  上端縁
２１ｂ  下端縁
２２  係止突起
２３  切り欠き溝
２４  切り欠き溝
３０  連結部材
３０ａ  係止縁
３０ｂ  係止縁
３２  連結孔
３５  連結軸
４０  脚部
４１  脚軸
４２  軸受けボス
４３  足部
４５  接地面
５０  脚部
５１  脚軸
５２  軸受けボス
５３  足部
５５  接地面
６０  玩具本体
６０ａ  前部半体
６０ｂ  後部半体
６１  左案内突起
６２  左案内面
６３  右案内突起
６４  右案内面
６５  下部開口
６６  上部開口
６７  収納室
６８  支軸
６９  支軸
７１  腕部材
７２  手部
７３  ボス
７５  取付孔
７６  湾曲面
８１  腕部材
８２  手部
８３  ボス
８５  取付孔
８６  湾曲面
９０  案内面
９１  上部係止孔（位置決め手段）
９２  下部係止孔（位置決め手段）
９５  懸吊部材
【図１】
2014023862.tif 000003
【図２】
2014023862.tif 000004
【図３】
2014023862.tif 000005
【図４】
2014023862.tif 000006